(57)【要約】【課題】オイルが付着したカラー原稿用紙や特殊コーティングされた原稿用紙の搬送時のすべりにより、先に搬送した原稿と次の原稿が衝突すること防止する。また、白黒コピー時の生産性の低下を防ぐ。【解決手段】原稿がカラープリントされた記録紙である場合の原稿の分離開始のタイミングを通常原稿の場合の分離開始タイミングよりも遅らせる。【選択図】      図２０
2004325714.tif 000002
【特許請求の範囲】
【請求項１】
複数枚の原稿を載置する原稿トレイと、
前記原稿トレイに積載された原稿を１枚ずつ分離する分離手段と、
前記分離手段で分離された原稿を原稿読取位置へ搬送する搬送手段と、
原稿の種類に関する情報を入力する入力手段と、
前記入力手段により入力された原稿の種類に関する情報に基づいて前記分離手段における分離開始のタイミングを切り替える分離制御手段と、
を有することを特徴とする原稿給送装置。
【請求項２】
前記入力手段は、原稿がカラー記録された記録紙であるか否かを示す情報を入力することを特徴とする請求項１記載の原稿給送装置。
【請求項３】
前記分離制御手段は、原稿がカラー記録された記録紙であることを示す情報を入力している場合の分離動作の開始タイミングを、通常原稿における分離動作の開始タイミングよりも遅らせることを特徴とする請求項２記載の原稿給送装置。
【請求項４】
前記分離手段と前記搬送手段の間に設けられ、原稿の有無を検知する検知手段を有し、前記分離制御手段は、原稿の種類に関する情報に基づいて、前記検知手段により原稿の後端を検知した後次の原稿の分離を開始する第１の分離動作モードと、前記検知手段により原稿の後端を検知する前に次の原稿の分離を開始する第２の分離動作を開始する第２の分離動作モードとを切り替えることを特徴とする請求項３記載の原稿給送装置。
【請求項５】
前記入力手段は、接続される画像形成装置の操作部で設定された情報を入力する或いは、前記原稿給送装置に設けられた操作部で設定された情報を入力することを特徴とする請求項１記載の原稿給送装置。
【請求項６】
複数枚の原稿を載置する原稿トレイと、
前記原稿トレイに積載された原稿を１枚ずつ分離する分離手段と、
前記分離手段で分離された原稿を原稿読取位置へ搬送する搬送手段と、
原稿の種類に関する情報を入力する入力手段と、
カラー記録を行うか白黒記録を行うかを設定する記録モード設定手段と、
前記入力手段により入力された原稿の種類に関する情報に基づいて前記分離手段における分離開始のタイミングを切り替える分離制御手段と、
前記記録モード設定手段によりカラー記録モードが設定されている場合、前記入力手段により原稿がカラー記録された記録紙であることが入力されていないと、警告を行う警告手段と、
を有することを特徴とする画像形成装置。
【請求項７】
複数枚の原稿を載置する原稿トレイと、
前記原稿トレイに積載された原稿を１枚ずつ分離する分離手段と、
前記分離手段で分離された原稿を原稿読取位置へ搬送する搬送手段と、
前記原稿に対する記録モードがカラー記録モードか白黒記録モードであるかを判定する判定手段と、
前記判定手段の判定結果に応じて、前記分離手段における分離動作の開始タイミングを切り替える分離制御手段と、
を有することを特徴とする原稿給送装置。
【請求項８】
前記分離制御手段は、カラー記録モードにおける分離動作の開始タイミングを白黒記録モードにおける分離動作の開始タイミングよりも遅らせることを特徴とする請求項７記載の原稿給送装置。
【請求項９】
画像形成装置に接続される原稿給送装置であって、
複数枚の原稿を載置する原稿トレイと、
前記原稿トレイに積載された原稿を１枚ずつ分離する分離手段と、
前記分離手段で分離された原稿を原稿読取位置へ搬送する搬送手段と、
前記原稿給送装置に接続された画像形成装置がカラー記録機能を有しているか否かを判定する判定手段と、
前記判定手段の判定結果に応じて、前記分離手段における分離動作の開始タイミングを切り替える分離制御手段と、
を有することを特徴とする原稿給送装置。
【請求項１０】
前記分離制御手段は、前記画像形成装置がカラー記録機能を有している場合における分離動作の開始タイミングを、前記画像形成装置がカラー記録機能を有していない場合における分離動作の開始タイミングよりも遅らせることを特徴とする請求項９記載の原稿給送装置。
【請求項１１】
複数枚の原稿を載置する原稿トレイと、
前記原稿トレイに積載された原稿を１枚ずつ分離する分離手段と、
前記分離手段で分離された原稿を原稿読取位置へ搬送する搬送手段と、
を有する原稿給送装置の制御方法であって、
原稿の種類に関する情報を入力する入力工程と、
前記入力工程で入力された原稿の種類に関する情報に基づいて前記分離手段における分離開始のタイミングを切り替える分離制御工程と、
を有することを特徴とする原稿給送装置の制御方法。
【請求項１２】
複数枚の原稿を載置する原稿トレイと、
前記原稿トレイに積載された原稿を１枚ずつ分離する分離手段と、
前記分離手段で分離された原稿を原稿読取位置へ搬送する搬送手段と、
を有する画像形成装置の制御方法であって、
原稿の種類に関する情報を入力する入力工程と、
カラー記録を行うか白黒記録を行うかを設定する記録モード設定工程と、
前記入力工程で入力された原稿の種類に関する情報に基づいて前記分離手段における分離開始のタイミングを切り替える分離制御工程と、
前記記録モード設定工程でカラー記録モードが設定されている場合、前記入力工程で原稿がカラー記録された記録紙であることが入力されていないと、警告を行う警告工程と、
を有することを特徴とする画像形成装置の制御方法。
【請求項１３】
複数枚の原稿を載置する原稿トレイと、
前記原稿トレイに積載された原稿を１枚ずつ分離する分離手段と、
前記分離手段で分離された原稿を原稿読取位置へ搬送する搬送手段と、
を有する原稿給送装置の制御方法であって、
前記原稿に対する記録モードがカラー記録モードか白黒記録モードであるかを判定する判定工程と、
前記判定工程における判定結果に応じて、前記分離手段における分離動作の開始タイミングを切り替える分離制御工程と、
を有することを特徴とする原稿給送装置の制御方法。
【請求項１４】
複数枚の原稿を載置する原稿トレイと、
前記原稿トレイに積載された原稿を１枚ずつ分離する分離手段と、
前記分離手段で分離された原稿を原稿読取位置へ搬送する搬送手段と、
を有し、画像形成装置に接続される原稿給送装置であって、
前記原稿給送装置に接続された画像形成装置がカラー記録機能を有しているか否かを判定する判定工程と、
前記判定工程における判定結果に応じて、前記分離手段における分離動作の開始タイミングを切り替える分離制御工程と、
を有することを特徴とする原稿給送装置の制御方法。
【発明の詳細な説明】
【０００１】
【発明の属する技術分野】
本発明は、自動原稿送り装置を備えた画像読取装置に関するものである。
【０００２】
【従来の技術】
デジタル複写機、プリンタ、ファクシミリ等に設けられた画像読取装置には、シート状の原稿を画像読取装置に自動給紙するため、シート自動搬送装置の一例である原稿処理装置（以下、ＡＤＦ  （Ａｕｔｏ  Ｄｏｃｕｍｅｎｔ  Ｆｅｅｄｅｒ）  という）を開閉自在に備えたものがある。
【０００３】
ＡＤＦを備えた画像読取装置による読取方法の１つとして、画像読取装置に備えられたプラテンガラスの所定の読み取り位置に画像読取手段を固定し、この読取位置上で原稿を一定の速度で移動させることにより、画像を読み込む方法（以下流し読みとする）が知られている。この流し読み方式では、原稿交換速度を速くできるという利点があり、大量のシート状の原稿を高速に処理する読み取り方法として、多くの製品で用いられている技術である。この方法では、原稿を連続的に搬送することによって、読取能力を向上させることが可能となる。具体的には、原稿トレイ上の原稿束から原稿を一枚ずつ分離部に搬送し、分離部で分離した後、レジスト部によって原稿の斜行を補正し、所定のタイミングで読取位置に搬送される。
【０００４】
従来では、原稿の後端がレジストセンサを抜けたときに、またはレジストセンサ上に専用のセンサを設け、原稿の後端がそのセンサを抜けたときに次の原稿の給紙をするようにしていた（例えば、特許文献１参照）。
【０００５】
しかしながら上記従来例では、次の原稿の給紙動作を、前の原稿の後端がレジストセンサを抜けたときに開始していたので、先行原稿の後端と次原稿の先端の紙間距離が長くなることになり、原稿の搬送効率を上げることができなかった。
【０００６】
上記問題点に関して、原稿後端がレジストセンサに到達する前に次原稿の給紙を行い、原稿の搬送効率を上げるようにした提案がなされている。（例えば、特許文献２参照）。
【０００７】
【特許文献１】
特開平１０−８７１８７号公報
【特許文献２】
特開２００２−２９８４号公報
【０００８】
【発明が解決しようとする課題】
上記の従来例においては、原稿後端がレジストセンサに到達する前に次原稿の給紙を行っているが、次原稿の分離動作を開始した後に、読み取った原稿画像の記憶領域をメモリに確保する為などで、前の原稿が読取位置前で一旦停止した場合、次の原稿は前の原稿との衝突を回避するため、分離部で一旦停止しなければならない。このとき、一旦停止した原稿がオイル塗布されたカラー原稿や、カラープリント用に特殊コーティングされた原稿の場合、分離部材に原稿が張り付くなどの現象が生じる可能性があり、搬送を一旦停止したカラー原稿が、搬送を再開しても搬送不可能な状態になるという問題があった。
【０００９】
【課題を解決するための手段】
本発明の目的は上記問題に鑑みたものであり、上記課題を達成する為に、本発明の原稿給送装置は、複数枚の原稿を載置する原稿トレイと、前記原稿トレイに積載された原稿を１枚ずつ分離する分離手段と、前記分離手段で分離された原稿を原稿読取位置へ搬送する搬送手段と、原稿の種類に関する情報を入力する入力手段と、前記入力手段により入力された原稿の種類に関する情報に基づいて前記分離手段における分離開始のタイミングを切り替える分離制御手段と、を有することを特徴とする。
【００１０】
また、本発明の原稿給送装置は、複数枚の原稿を載置する原稿トレイと、前記原稿トレイに積載された原稿を１枚ずつ分離する分離手段と、前記分離手段で分離された原稿を原稿読取位置へ搬送する搬送手段と、前記原稿に対する記録モードがカラー記録モードか白黒記録モードであるかを判定する判定手段と、前記判定手段の判定結果に応じて、前記分離手段における分離動作の開始タイミングを切り替える分離制御手段と、を有することを特徴とする。
【００１１】
また、本発明の原稿給送装置は、画像形成装置に接続される原稿給送装置であって、複数枚の原稿を載置する原稿トレイと、前記原稿トレイに積載された原稿を１枚ずつ分離する分離手段と、前記分離手段で分離された原稿を原稿読取位置へ搬送する搬送手段と、前記原稿給送装置に接続された画像形成装置がカラー記録機能を有しているか否かを判定する判定手段と、前記判定手段の判定結果に応じて、前記分離手段における分離動作の開始タイミングを切り替える分離制御手段と、を有することを特徴とする。
【００１２】
また、本発明の画像形成装置は、複数枚の原稿を載置する原稿トレイと、前記原稿トレイに積載された原稿を１枚ずつ分離する分離手段と、前記分離手段で分離された原稿を原稿読取位置へ搬送する搬送手段と、原稿の種類に関する情報を入力する入力手段と、カラー記録を行うか白黒記録を行うかを設定する記録モード設定手段と、前記入力手段により入力された原稿の種類に関する情報に基づいて前記分離手段における分離開始のタイミングを切り替える分離制御手段と、前記記録モード設定手段によりカラー記録モードが設定されている場合、前記入力手段により原稿がカラー記録された記録紙であることが入力されていないと、警告を行う警告手段と、を有することを特徴とする。
【００１３】
【発明の実施の形態】
以下、本発明の実施形態を説明する。図１は本発明を適用できる画像形成装置の主要部構成を示す縦断面図である。
【００１４】
（全体構成）
画像形成装置は、図１に示すように、画像形成装置本体１０と、フィニッシャ７００とから構成され、画像形成装置本体１０は原稿画像を読み取るイメージリーダ２００およびプリンタ３００を備える。
【００１５】
イメージリーダ２００には、原稿給送装置１００が搭載されている。原稿給送装置１００は、原稿トレイ上に上向きにセットされた原稿を先頭頁から順に１枚づつ左方向へ給紙し、湾曲したパスを介してプラテンガラス２２２上を左から流し読取位置を経て右へ搬送し、その後外部の排紙トレイ１２１に向けて排出する。この原稿がプラテンガラス２２２上の流し読取位置を左から右へ向けて通過するときに、この原稿画像は流し読取位置に対応する位置に保持されたスキャナユニット２２４により読み取られる。この読取方法は、一般的に、原稿流し読みと呼ばれる方法である。原稿給送装置１００に関しては後ほど詳細を説明する。
【００１６】
原稿が流し読取位置を通過する際に、原稿の読取り面がスキャナユニット２２４のランプ２２３の光で照射され、その原稿からの反射光がミラー２２５、２２６、２２７を介してレンズ２２８に導かれる。このレンズ２２８を通過した光は、イメージセンサ２２９の撮像面に結像する。
【００１７】
このように流し読取位置を左から右へ通過するように原稿を搬送することによって、原稿の搬送方向に対して直交する方向を主走査方向とし、搬送方向を副走査方向とする原稿読取走査が行われる。すなわち、原稿が流し読取位置を通過する際に主走査方向に原稿画像を１ライン毎にイメージセンサ２２９で読み取りながら、原稿を副走査方向に搬送することによって原稿画像全体の読取が行われ、光学的に読み取られた画像はイメージセンサ２２９によって画像データに変換されて出力される。イメージセンサ２２９から出力された画像データは、後述する画像信号制御部２０２において所定の処理が施された後にプリンタ３００の露光制御部１１０にビデオ信号として入力される。
【００１８】
原稿給送装置１００を使用しないで原稿を読み取るときには、まず、ユーザにより原稿給送装置１００を持ち上げてプラテンガラス２２２上に原稿を載置し、そして、スキャナユニット２２４を左から右へ走査させることにより原稿の読取を行う。すなわち、原稿給送装置１００を使用しないで原稿を読み取るときには、原稿固定読みが行われる。
【００１９】
プリンタ部３００は、異なるサイズの記録紙Ｓが積載可能な複数の記録紙格納部９５３、９５４、記録紙を給紙する記録紙給紙部９５５、９５６を有している。給紙されたシートＳはシート搬送路９５７を介してシート搬送路９５８へ搬送される。
【００２０】
露光手段であるレーザー露光光学系９０３において画像信号は、（図示しない）レーザー出力部８０５にて光信号に変換され、光信号に変換されたレーザー光Ｅがポリゴンミラー９３５で反射され、レンズ９３６及び各反射ミラー９３７を経て感光ドラム９６０表面上の露光位置に投影される。
【００２１】
感光ドラム９６０は、図中矢印方向に回転自在に担持され、その周りには、レーザー露光光学系である露光手段９０３、電位センサ９１２、回転式現像器保持部である移動体（現像ロータリー）９０４及び各々の保持部に色の異なる現像剤を収容した４個の現像器９４１〜９４４、転写ドラム９６４、分離手段９１３、クリーニング器９０６が配置される。
【００２２】
９０４は回転現像器であり、マゼンタ現像部９４４、シアン現像部９４３、イエロー現像部９４２、ブラック現像部９４１より構成され、４つの現像器が交互に感光ドラム９６０に接し、感光ドラム９６０上に形成された静電潜像を各色のトナーで現像する。
【００２３】
又、現像器９４１〜９４４内のトナーは図に示すように、各色毎のトナー収納部（ホッパー）９２１〜９２４から現像器内のトナー比率（或いはトナー量）を一定に保つように、所望のタイミングにて随時補給される。
【００２４】
９６４は転写ドラムで、給紙されてきたシートＳをこの転写ドラム９６４に巻きつけ、感光ドラム９６０上に現像された像を用紙に転写する。この様にしてＭ、Ｃ、Ｙ、Ｂｋの４色が順次転写された後に、分離手段によって、転写ドラム９６４に巻きついていたシートＳを転写ドラムから分離させた後、シートＳは搬送ベルト９６３、定着ユニット９７０を通過し、搬送ローラ９６５により、シート処理装置７００の搬送路３１８へ搬送される。
【００２５】
（システムブロック図）
次に、本画像形成装置全体の制御を司るコントローラの構成について図２を参照しながら説明する。図２は図１の画像形成装置全体の制御を司るコントローラの構成を示すブロック図である。
【００２６】
コントローラは、ＣＰＵ回路部１５０を有し、ＣＰＵ回路部１５０は、ＣＰＵ（図示せず）、ＲＯＭ１５１、ＲＡＭ１５２を内蔵し、ＲＯＭ１５１に格納されている制御プログラムにより各ブロック１０１，２０１，２０２，２０９，３０１，４０１，７０１を総括的に制御する。ＲＡＭ１５２は、制御データを一時的に保持し、また制御に伴う演算処理の作業領域として用いられる。
【００２７】
原稿給送装置制御部１０１は、原稿給送装置１００をＣＰＵ回路部１５０からの指示に基づき駆動制御する。イメージリーダ制御部２０１は、上述のスキャナユニット２２４、イメージセンサ２２９などに対する駆動制御を行い、イメージセンサ２２９から出力されたアナログ画像信号を画像信号制御部２０２に転送する。
【００２８】
画像信号制御部２０２は、イメージセンサ２２９からのアナログ画像信号をデジタル信号に変換した後に各処理を施し、このデジタル信号をビデオ信号に変換してプリンタ制御部３０１に出力する。また、コンピュータ２１０から外部Ｉ／Ｆ２０９を介して入力されたデジタル画像信号に各種処理を施し、このデジタル画像信号をビデオ信号に変換してプリンタ制御部３０１に出力する。この画像信号制御部２０２による処理動作は、ＣＰＵ回路部１５０により制御される。プリンタ制御部３０１は、入力されたビデオ信号に基づき上述の露光制御部３１０を駆動する。
【００２９】
操作表示装置制御部４０１は、操作表示装置４００とＣＰＵ回路部１５０との間で情報のやり取りを行う。操作表示装置４００は、画像形成に関する各種機能を設定する複数のキー、設定状態を示す情報を表示するための表示部などを有し、各キーの操作に対応するキー信号をＣＰＵ回路部１５０に出力するとともに、ＣＰＵ回路部１５０からの信号に基づき対応する情報を表示部に表示する。
【００３０】
フィニッシャ制御部７０１はフィニッシャ７００に搭載され、ＣＰＵ回路部１５０と情報のやり取りを行うことによってフィニッシャ全体の駆動制御を行う。
【００３１】
（原稿搬送装置の説明）
以下、原稿搬送装置１００に関して図３を用いて説明する。
【００３２】
原稿搬送装置であるＡＤＦ１００は、原稿トレイ１２０上に表面を上に向けてセットされた原稿束Ｓからピックアップローラ１０１により、最上位の原稿から分離部１０２へと繰り出す。分離部１０２は、上方に分離ローラ、下方に分離パッドが配置されており、原稿束Ｓの最上紙より一枚ずつ分離を行う。
【００３３】
片面原稿で表面の画像を読み取る場合は、分離された原稿は、第１レジストローラ１０３にて分離搬送中の斜行補正を行った後、第１レジストローラ１０３から第２レジストローラ１０４、第１搬送ローラ１０５により搬送され、読取位置Ｒを搬送されている間に表面の画像が読み取られる。そして、第２搬送ローラ１０６から排紙ローラ１０８により、排紙トレイ１２１上に原稿表面を下に向けて順番に排出される。
【００３４】
また、両面原稿で表裏両面の画像を読み取る場合は、分離された原稿は、第１レジストローラ１０３にて分離搬送中の斜行補正を行った後、第２レジストローラ１０４から第１搬送ローラ１０５、第２搬送ローラ１０６により搬送され、読取位置Ｒを搬送されている間に表面の画像が読み取られる。そして、第２搬送ローラから排紙ローラ１０８により、一旦、原稿端部が排紙トレイ１２１に飛び出す様に搬送され、後端側が排紙ローラ１０８にニップされた状態で搬送が停止される。
【００３５】
その後、原稿をスイッチバック搬送し、第２レジストローラ１０４にて、再度斜行補正を行った後、第１搬送ローラ１０５、第２搬送ローラ１０６により搬送され、読取位置Ｒを再度搬送されている間に裏面の画像が読み取られる。
【００３６】
このまま、第２搬送ローラから排紙ローラ１０８により、排紙トレイ１２１上に原稿表面を上に向けて排出すると、原稿トレイ１２０上にセットされた面順と異なってしまう。よって、裏面を読み取られた原稿は、第２搬送ローラ１０６、排紙ローラ１０８により、再度原稿端部が排紙トレイ１２１に飛び出すように搬送され、後端側が排紙ローラ１０８にニップされた状態で搬送が停止され、スイッチバック搬送し、第２レジストローラ１０４、第１搬送ローラ、第２搬送ローラにより搬送された後、排紙ローラ１０８により排紙トレイ１２１上に表面を下に向けて順番に排出される。但し、読取位置Ｒを搬送されている間であっても、この間は、原稿画像の読み取りは行われない。
【００３７】
原稿セット検知センサ１１４は、原稿トレイ１２０上に原稿がセットされているか否かを検知するためのセンサである。原稿トレイ１２０には、１対の幅方向規制板１１６が原稿Ｓの幅方向にスライド自在に配置されていて、原稿トレイ１２０に載置される原稿Ｓの幅方向を両側から規制して、原稿Ｓの給送時の安定性を確保している。
【００３８】
また一対の幅方向規制板１１６を動かす事によって、内部の４つのスライドスイッチ１１５が規制板１１６の位置に応じてライン上でオンオフし、図示しないＳＷ０〜ＳＷ４までの値が加算される事によって、原稿の幅方向のサイズが識別可能となっている。
【００３９】
分離検知センサ１１０、レジ検知センサ１１１、読み取り検知センサ１１２、排紙検知センサ１１３は搬送中の原稿を検知し、原稿の搬送状態を検出するのに使用されるとともに、原稿の搬送方向長さの検出にも使用される。
【００４０】
次に分離動作について図３、図５〜図８を用いて説明する。図５〜図８において、ｓ−１、ｓ−２は連続して搬送される２枚の原稿を表わしており、ｓ−１は先行して搬送された原稿、ｓ−２はその次に搬送される原稿である。
【００４１】
図示しないピックアップモータを回転させると、ピックアップローラ１０１が回転すると同時に下降し、分離部１０２の分離ローラが回転され、原稿束Ｓの最上位の原稿が分離部１０２へ搬送開始される。分離部１０２の、上方に配置される分離ローラと下方に配置される分離パッドによって、原稿束Ｓから最上紙だけが搬送される。
【００４２】
分離された原稿は、分離検知センサ１１０において、原稿先端が検知される。そして、レジ検知センサ１１１によって原稿先端が検知されると、前記ピックアップモータを停止させることにより、ピックアップローラならびに分離ローラの回転を停止する。このとき、原稿の先端が第１レジストローラ１０３に突き当てられることによって、原稿の斜行補正が行なわれる。
【００４３】
レジ検知センサ１１１は可倒式のフラグと光学センサの組み合わせによって構成され、搬送される原稿の有無を検知している。第１レジストローラ１０３に原稿先端が到達する数ｍｍ手前で、レジ検知センサ１１１において原稿の先端が検知される。また、第１レジストローラ１０３を原稿後端が通過する時レジ検知センサ１１１において原稿の後端が検知される。
【００４４】
そして、図示しない給紙モータを動作させ第１レジストローラ１０３を回転させるとともに、図示しない読取モータを動作させ第２レジストローラ１０４、第１搬送ローラ１０５を回転させ、第１レジストローラ１０３から第２レジストローラ１０４、第１搬送ローラ１０５によって、読取位置Ｒへ原稿が搬送される。
【００４５】
なお、この原稿給送装置には、原稿の種類に応じた原稿給送モードが設けられており、その１つとして、カラー専用紙原稿搬送モードがある。このモードは主に、電子写真方式のカラー画像形成装置で形成された画像を原稿とした場合に使用される。
【００４６】
そして、分離検知センサ１１０において、原稿ｓ−１の後端を検知した時、搬送モードがカラー専用紙原稿搬送モードでない場合は、再びピックアップモータを回転させることで、分離部１０２の分離ローラが回転し、原稿束Ｓの次の最上位原稿ｓ−２が分離部１０２へ搬送されることになる（図５参照）。分離された原稿ｓ−２は、分離検知センサ１１０において、原稿先端が検知される（図６参照）。
【００４７】
このとき、画像読取前に読取画像保存用のメモリ確保に時間がかかる場合や、画像形成するための最適サイズの用紙がセットされていなかった場合、前原稿ｓ−１の搬送が途中で停止する場合がある。そこで、前原稿ｓ−１と次原稿ｓ−２との衝突を避けるため次原稿ｓ−２の用紙先端を分離検知センサ１１０で検知したとき、レジ検知センサ１１１によって前原稿ｓ−１の後端が検知されていない場合、前記ピックアップモータを停止させ、ピックアップローラならびに分離ローラの回転を停止させ、次原稿ｓ−２の搬送を一旦停止する。そして、レジ検知センサ１１１によって前原稿の後端が検知された場合、再びピックアップモータを回転させ次原稿の搬送を再開する。そして、レジ検知センサ１１１によって原稿ｓ−２の先端が検知されると、前記ピックアップモータを停止させ、ピックアップローラならびに分離ローラの回転を停止させ、次原稿ｓ−２の斜行補正をおこなう（図８参照）。
【００４８】
また、分離検知センサ１１０において、前原稿ｓ−１の原稿後端を検知した時、搬送モードがカラー専用紙原稿搬送モードであった場合は、ピックアップモータを回転させず、レジ検知センサ１１１において、前原稿ｓ−１の原稿後端を検知した時、再びピックアップモータを回転させることで、分離部１０２の分離ローラが回転し、原稿束Ｓの次の最上位原稿ｓ−２が分離部１０２へ搬送されることになる（図７参照）。分離された原稿ｓ−２は、分離検知センサ１１０において、原稿先端が検知される。そして、レジ検知センサ１１１によって原稿先端が検知されると、前記ピックアップモータを停止させ、ピックアップローラならびに分離ローラの回転を停止させ、次原稿ｓ−２の斜行補正をおこなう（図８参照）。そして、前原稿ｓ−１との用紙間隔が所定の間隔まで開いたとき、給紙モータと読取モータを動作させ第１レジストローラ１０３から第２レジストローラ１０４、第１搬送ローラ１０５によって、読取位置へ次原稿ｓ−２が搬送される。
【００４９】
（操作表示装置）
図４は図１の画像形成装置における操作表示装置４００を示す図である。
【００５０】
操作表示装置４００には、画像形成動作を開始するためのスタートキー４０２、画像形成動作を中断するためのストップキー４０３、置数設定等を行うテンキー４０４〜４１２および４１４、ＩＤキー４１３、クリアキー４１５、リセットキー４１６、メンテナンスキー４１７などが配置されている。また、上部にタッチパネルが形成された液晶表示部４２０が配置されており、画面上にソフトキーを作成可能となっている。
【００５１】
（モード設定フロー）
以下、カラー専用用紙原稿搬送モード設定フローについて図１５を用いて説明する。
【００５２】
ＣＰＵ１５０はユーザによって操作部４００のスタートキー４０２が押下されたと判断した時、原稿読取のための動作を開始し、原稿セット検知センサ１１４において原稿トレイ上１２０の原稿の有無を判断する（Ｓ２０−１）。ステップＳ２０−１において、原稿セット検知センサ１１４がオン、即ち原稿トレイ上１２０に原稿ありと判断した場合、原稿流し読みモード、すなわち原稿給紙装置１００を用いた原稿読取動作を開始する（Ｓ２０−２）。
【００５３】
そして、操作部４００でカラー専用用紙原稿搬送モードがユーザによって設定されているかどうかを判断する（Ｓ２０−３）。カラー専用用紙原稿搬送モードの設定は図１０、図１１に示すように、カラー専用用紙原稿キーを押すとカラー専用用紙原稿か通常原稿かを選択可能になる。図１０では、既にカラー専用用紙原稿が選択されている状態を示しており、図１１では、カラー専用用紙原稿キーを押して通常原稿が選択肢として表示されている様子を示している。
【００５４】
ステップＳ２０−３において、カラー専用用紙原稿搬送モードが設定されていると判断した場合、カラー専用用紙原稿分離モードフラグをＲＡＭ１５２にセットし、原稿読取のための動作を開始する（Ｓ２０−４）。
【００５５】
ステップＳ２０−３において、カラー専用用紙原稿搬送モードが設定されていないと判断した場合、カラー専用用紙原稿分離モードフラグをクリアするとともに原稿読取のための動作を開始する（Ｓ２０−５）。
【００５６】
また、原稿セット検知センサ１１４がオフ、即ち原稿トレイ上１２０に原稿なしと判断した場合、原稿固定読みモード、すなわち原稿給紙装置１００を用いない原稿読取のための動作を開始する（Ｓ２０−６）。
【００５７】
（第２のモード設定フロー）
カラー専用用紙原稿搬送モード設定の他の実施形態について図１６を用いて説明する。この実施形態では、カラープリントが設定されているにも拘わらず、カラー専用用紙原稿搬送モードが設定されていない場合、ユーザに確認を行なう様になっている。
【００５８】
ＣＰＵ１５０はユーザによって操作部４００のスタートキー４０２が押下されたと判断した時、原稿読取のための動作を開始し、原稿セット検知センサ１１４において原稿トレイ上１２０の原稿有無を判断する（Ｓ３０−１）。ステップＳ３０−１において、原稿セット検知センサ１１４がオン、即ち原稿トレイ上１２０の原稿ありと判断した場合、原稿流し読みモード、すなわち原稿給紙装置１００を用いた原稿読み取り動作を開始する（Ｓ３０−２）。
【００５９】
そして、操作部４００からカラープリントモードがユーザによって設定されているかどうかを判断する（Ｓ３０−３）。カラープリントモードの設定は図１２に示すように白黒プリントキーを押すとカラープリントモードを選択可能になる。図１２では、既に白黒プリントモードが設定されている状態で、白黒プリントキーを押すと、カラープリントが選択肢として表示されている様子を示している。
【００６０】
ステップＳ３０−３において、カラープリントモードが設定されていると判断した場合、カラー専用用紙原稿搬送モードが設定されているかどうかを判断する（Ｓ３０−４）。ステップＳ３０−４において、カラー専用用紙原稿搬送モードが設定されていると判断した場合、カラー専用用紙原稿分離モードフラグをセットするとともに読取動作を開始する（Ｓ３０−７）。
【００６１】
ステップＳ３０−４において、カラー専用用紙原稿搬送モードが設定されていないと判断した場合、カラー専用用紙原稿搬送モードを設定せずに読取動作を継続するかどうかをユーザに確認する画面（図１３参照）を表示する（Ｓ３０−５）。そして、前記画面上において、ユーザによってカラー専用用紙原稿搬送モードが設定されたと判断した場合（Ｓ３０−６）、カラー専用用紙原稿分離モードフラグをセットするとともに原稿読取のための動作を開始する（Ｓ３０−７）。
【００６２】
また、ステップＳ３０−６において、ユーザによってカラー専用用紙原稿搬送モードが設定されなかったと判断した場合、カラー専用用紙原稿分離モードフラグをクリアし、読取のための動作を開始する（Ｓ３０−８）。
【００６３】
また、ステップＳ３０−３において、カラープリントモードが設定されていないと判断した場合、カラー専用用紙原稿搬送モードが設定されているかどうかを判断する（Ｓ３０−９）。ステップＳ３０−９において、カラー専用用紙原稿搬送モードが設定されていると判断した場合、カラー専用用紙原稿分離モードフラグをセットし、原稿読取のための動作を開始する（Ｓ３０−１０）。また、ステップＳ３０−９において、ユーザによってカラー専用用紙原稿搬送モードが設定されていないと判断した場合、カラー専用用紙原稿分離モードフラグをクリアし、原稿読取のための動作を開始する（Ｓ３０−１１）。また、原稿セット検知センサ１１４がＯＦＦ、すなわち原稿トレイ上１２０の原稿なしと判断した場合、原稿固定読みモード、すなわち原稿給紙装置１００を用いない原稿読取のための動作を開始する（Ｓ３０−１２）。
【００６４】
（第三のモード設定フロー）
カラー専用用紙原稿搬送モード設定の他の実施形態について図１７を用いて説明する。この実施形態では、原稿給送装置の上面に、図９に示すように、カラー専用用紙原稿搬送モード設定スイッチ１１７が設けられている。
【００６５】
ＣＰＵ１５０は操作部４００のスタートキー４０２が押下されたと判断した時、原稿読取のための動作を開始し、原稿セット検知センサ１１４において原稿トレイ上１２０の原稿有無を判断する（Ｓ４０−１）。ステップＳ４０−１において、原稿セット検知センサ１１４がオン、即ち原稿トレイ上１２０の原稿ありと判断した場合、原稿流し読みモード、即ち原稿給紙装置１００を用いた原稿読取のための動作を開始する（Ｓ４０−２）。
【００６６】
そして、カラー専用用紙原稿搬送モードが原稿搬送装置１００上の設定スイッチ１１７によって設定されているかどうかを判断する（Ｓ４０−３）。ステップＳ４０−３において、カラー専用用紙原稿搬送モードが設定されていると判断した場合、カラー専用用紙原稿分離モードフラグをセットし、原稿読取のための動作を開始する（Ｓ４０−４）。
【００６７】
ステップＳ４０−３において、カラー専用用紙原稿搬送モードが設定されていないと判断した場合、カラー専用用紙原稿分離モードフラグをクリアし、原稿読取のための動作を開始する（Ｓ４０−５）。
【００６８】
また、原稿セット検知センサ１１４がオフ、即ち原稿トレイ上１２０の原稿なしと判断した場合、原稿固定読みモード、即ち原稿給紙装置１００を用いない原稿読取のための動作を開始する（Ｓ４０−６）。
【００６９】
尚、カラー専用用紙原稿搬送モード設定スイッチ１１７はトグルスイッチなっており、ユーザがカラー専用用紙原稿搬送モード設定スイッチ１１７をオンして、カラー専用用紙原稿搬送モードを選択していた場合、原稿給紙装置１００上の不図示のカラー専用用紙原稿搬送モード設定表示ＬＥＤが点灯することで、ユーザはカラー専用用紙原稿搬送モードが設定されたことを確認できる。
【００７０】
（第四のモード設定フロー）
カラー専用用紙原稿搬送モード設定の他の実施形態について図１８を用いて説明する。この実施形態では、原稿給送装置が画像形成装置本体と通信を行ない、カラープリント機能の有無を判定し、カラー専用用紙原稿搬送モードの設定を行なう様になっている。
【００７１】
ＣＰＵ１５０は電源がオンされたとき、接続されているプリンタ３００のメモリに格納されているプリント機能情報を参照する（Ｓ５０−１）。ステップＳ５０−１において、接続されているプリンタ３００がカラープリント機能をもっているかどうかを判断する（Ｓ５０−２）。そして、ステップＳ５０−２において、プリンタ３００がカラープリント機能をもっていると判断した場合、カラー専用用紙原稿分離モードフラグをセットする（Ｓ５０−３）。
【００７２】
ステップＳ５０−２において、プリンタ３００がカラープリント機能をもっていないと判断した場合、カラー専用用紙原稿分離モードフラグをクリアする（Ｓ５０−４）。
【００７３】
このような構成は、原稿給送装置がカラー画像形成装置と白黒画像形成装置の両方に取り付け可能な場合に効果がある。即ち、原稿給送装置がカラー記録機能を有する画像形成装置に接続されている場合は、カラー白黒に拘わらず、記録紙表面にオイル成分等が付着しているが、この記録紙を原稿として使用する可能性が高くなり、ユーザが一々カラー専用用紙搬送モードを選択しなくても、自動的にカラー専用用紙搬送モードが設定されるので、操作性が向上する。
【００７４】
（第五のモード設定フロー）
カラー専用用紙原稿搬送モード設定の他の実施形態について図１９を用いて説明する。この実施形態では、カラープリントモードが設定されているか否かに応じてカラー専用用紙原稿搬送モードの設定を行なう様になっている。
【００７５】
ＣＰＵ１５０はユーザによって操作部４００のスタートキー４０２が押下されたと判断した時、原稿読取のための動作を開始し、原稿セット検知センサ１１４において原稿トレイ上１２０の原稿有無を判断する（Ｓ７０−１）。ステップＳ７０−１において、原稿セット検知センサ１１４がオン、即ち原稿トレイ上１２０の原稿ありと判断した場合、原稿流し読みモード、即ち原稿給紙装置１００を用いた原稿読取のための動作を開始する（Ｓ７０−２）。
【００７６】
そして、操作部４００によりカラープリントモードが設定されているかどうかを判断する（Ｓ７０−３）。カラープリントモードの設定は、図１４に示すように、白黒プリントキーを押すとカラープリントモードが設定可能になる。図１４では、既に白黒プリントモードが設定されている状態で、白黒プリントキーを押すと、カラープリントが選択肢として表示されている様子を示している。
【００７７】
ステップＳ７０−３において、カラープリントモードが設定されていると判断した場合、カラー専用用紙原稿分離モードフラグをセットし、原稿読取のための動作を開始する（Ｓ７０−４）。
【００７８】
ステップＳ７０−３において、カラープリントモードが設定されていないと判断した場合、カラー専用用紙原稿分離モードフラグをクリアし、原稿読取のための動作を開始する（Ｓ７０−５）。
【００７９】
また、原稿セット検知センサ１１４がオフ、即ち原稿トレイ上１２０の原稿なしと判断した場合、原稿固定読みモード、即ち原稿給紙装置１００を用いない原稿読取のための動作を開始する（Ｓ２０−６）。
【００８０】
（分離動作フロー）
以下、原稿の分離動作フローについて図２０を用いて説明する。
【００８１】
原稿給紙装置１００を用いた原稿読取動作を開始した場合、ＣＰＵ１５０は、ＲＡＭ１５２にカラー専用紙原稿搬送フラグがセットされているかどうかを判断する（Ｓ６０−１）。ステップＳ６０−１において、カラー専用紙原稿搬送フラグがセットされていると判断した場合、ＣＰＵ１５０はピックアップモータの駆動を開始し所定の速度で回転させる（Ｓ６０−２）。ピックアップモータが回転することによって、ピックアップローラ１０１が回転するとともに下降する。また、分離部１０２の分離ローラが回転する。それによって、原稿束Ｓの最上位の原稿が分離部１０２へ搬送が開始され、分離部１０２の、上方に配置される分離ローラと下方に配置される分離パッドによって、原稿束Ｓから最上紙だけが搬送される。
【００８２】
そして、ＣＰＵ１５０は分離検知センサ１１０において、分離された原稿の先端が検知されたかどうか判断する（Ｓ６０−３）。Ｓ６０−３において分離検知センサ１１０において、原稿先端が検知されたと判断した場合、ＣＰＵ１５０はレジ検知センサ１１１によって原稿の先端を検知するまで待機する（Ｓ６０−４）。Ｓ６０−４において、レジ検知センサ１１１によって原稿先端が検知されたと判断した場合、ＣＰＵ１５０は前記ピックアップモータを停止させる（Ｓ６０−５）。それによって、ピックアップローラならびに分離ローラの回転が減速、停止されるとともに、第１レジストローラ１０３に原稿先端を突き当てることによって、原稿の斜行補正を行う。ＣＰＵ１５０は原稿の斜行補正のための用紙の挙動およびモータの挙動が安定させるために、また、１つ前に分離した原稿との紙間が所定値になるように所定時間待つ（Ｓ６０−６）。そして所定時間経過後、ＣＰＵ１５０は給紙モータの駆動を開始し、所定の速度で回転させる（Ｓ６０−７）。給紙モータが回転することによって、第１レジストローラ１０３が回転し、第１レジストローラ１０３から第２レジストローラ１０４、第１搬送ローラ１０５によって、読取位置へ原稿が搬送される。そして、ＣＰＵ１５０はレジ検知センサ１１１によって原稿の後端が検知されたかどうか判断する（Ｓ６０−８）。ステップＳ６０−８において、レジ検知センサ１１１によって原稿の後端が検知されたと判断した場合、ＣＰＵ１５０は給紙モータの駆動を停止する（Ｓ６０−９）。
【００８３】
そして、ＣＰＵ１５０は、原稿検知センサ１１４において、原稿トレイ上に原稿がない、即ち全ての原稿の読み取りが完了したかどうか判断する（Ｓ６０−１０）。ステップＳ６０−１０において、全ての原稿の読取が完了したと判断した場合、分離動作を終了する。また、ステップＳ６０−１０において、全ての原稿の読取が完了していないと判断した場合は、次の原稿の分離を開始するために再び、Ｓ６０−１を実行する。
【００８４】
また、ステップＳ６０−１において、カラー専用紙原稿搬送フラグがセットされていないと判断した場合、ＣＰＵ１５０はピックアップモータの駆動を開始し所定の速度で回転させる（Ｓ６０−１１）。ピックアップモータが回転することによって、ピックアップローラ１０１が回転すると同時に下降する。また、分離部１０２の分離ローラが回転する。それによって、原稿束Ｓの最上位の原稿が分離部１０２へ搬送が開始され、分離部１０２の、上方に配置される分離ローラと、下方に配置される分離パッドによって、原稿束Ｓから最上紙だけが搬送される。
【００８５】
そして、ＣＰＵ１５０は分離検知センサ１１０において、原稿先端が検知されたかどうか判断する（Ｓ６０−１２）。Ｓ６０−１２において分離検知センサ１１０において、原稿先端が検知されたと判断した場合、ＣＰＵ１５０はレジ検知センサ１１１によって前原稿後端が検知されたかどうか判断する（Ｓ６０−１３）。Ｓ６０−１３において、レジ検知センサ１１１によって前原稿後端が検知されたと判断した場合、給紙モータを停止させる（Ｓ６０−２２）。そして、ステップＳ６０−１８を実行する。Ｓ６０−１３において、レジ検知センサ１１１によって前原稿後端が検知されていないと判断した場合、ＣＰＵ１５０は前記ピックアップモータを停止させる（Ｓ６０−１４）。そして、ＣＰＵ１５０はレジ検知センサ１１１によって前原稿の後端が検知されたかどうか判断する（Ｓ６０−１５）。Ｓ６０−１５において、レジ検知センサ１１１によって前原稿の後端が検知されたと判断した場合、ＣＰＵ１５０は給紙モータの駆動を停止する（Ｓ６０−１９）。そして、ＣＰＵ１５０はピックアップモータの駆動を再び開始し所定の速度で回転させ、原稿の搬送を再開する（Ｓ６０−１７）。
【００８６】
そして、ＣＰＵ１５０はレジ検知センサ１１１によって原稿先端が検知されたかどうか判断する（Ｓ６０−１８）。Ｓ６０−１８において、レジ検知センサ１１１によって原稿先端が検知されたと判断した場合、ＣＰＵ１５０は前記ピックアップモータを停止させる（Ｓ６０−１９）。それによって、ピックアップローラならびに分離ローラの回転が減速、停止されるとともに、第１レジストローラ１０３に原稿先端を突き当てることによって、原稿の斜行補正を行う。ＣＰＵ１５０は原稿の斜行補正のための用紙の挙動およびモータの挙動が安定させるために、また、前原稿との紙間が所定値になるように所定時間待つ（Ｓ６０−２０）。そしてＣＰＵ１５０は、給紙モータの駆動を開始し所定の速度で回転させる（Ｓ６０−２１）。給紙モータが回転することによって、第１レジストローラ１０３が回転し、第１レジストローラ１０３から第２レジストローラ１０４、第１搬送ローラ１０５によって読取位置へ原稿が搬送される。
【００８７】
そして、ＣＰＵ１５０は、原稿検知センサ１１４において、原稿トレイ上に原稿がない、すなわち全ての原稿の読み取りが完了したかどうか判断する（Ｓ６０−２３）。Ｓ６０−２３において、全ての原稿の読み取りが完了したと判断した場合、ＣＰＵ１５０はレジ検知センサ１１１によって原稿の後端が検知されたかどうか判断する（Ｓ６０−２４）。Ｓ６０−２４において、レジ検知センサ１１１によって原稿の後端が検知されたと判断した場合、ＣＰＵ１５０は給紙モータの駆動を停止する（Ｓ６０−２５）。そして分離動作を終了する。
【００８８】
また、Ｓ６０−２３において、全ての原稿の読み取りが完了していないと判断した場合は、次の原稿の分離を開始するために再び、Ｓ６０−１を実行する。
【００８９】
【発明の効果】
以上説明したように、本発明の画像読み取り装置によれば、オイルが付着したカラー原稿用紙や特殊コーティングされた原稿用紙の搬送を確実に行うことができる。さらに白黒原稿や白黒プリント時は生産性の向上をはかることができ、白黒原稿、カラー原稿などの各々の原稿に対して最適な分離搬送制御が実施可能な装置をユーザに提供することが可能となる。
【図面の簡単な説明】
【図１】画像形成装置の断面図である。
【図２】画像形成装置の主構成を示すブロック図である。
【図３】原稿給送装置の断面図である。
【図４】操作表示装置を示す図である。
【図５】分離搬送動作の説明図である。
【図６】分離搬送動作の説明図である。
【図７】分離搬送動作の説明図である。
【図８】分離搬送動作の説明図である。
【図９】原稿給送装置の断面図である。
【図１０】操作表示装置に表示される画面の一例を示す図である。
【図１１】操作表示装置に表示される画面の一例を示す図である。
【図１２】操作表示装置に表示される画面の一例を示す図である。
【図１３】操作表示装置に表示される画面の一例を示す図である。
【図１４】操作表示装置に表示される画面の一例を示す図である。
【図１５】搬送モード設定を示すフローチャートである。
【図１６】搬送モード設定を示すフローチャートである。
【図１７】搬送モード設定を示すフローチャートである。
【図１８】搬送モード設定を示すフローチャートである。
【図１９】搬送モード設定を示すフローチャートである。
【図２０】分離動作を示すフローチャートである。
【図１】
2004325714.tif 000003
【図２】
2004325714.tif 000004
【図３】
2004325714.tif 000005
【図４】
2004325714.tif 000006
【図５】
2004325714.tif 000007
【図６】
2004325714.tif 000008
【図７】
2004325714.tif 000009
【図８】
2004325714.tif 000010
【図９】
2004325714.tif 000011
【図１０】
2004325714.tif 000012
【図１１】
2004325714.tif 000013
【図１２】
2004325714.tif 000014
【図１３】
2004325714.tif 000015
【図１４】
2004325714.tif 000016
【図１５】
2004325714.tif 000017
【図１６】
2004325714.tif 000018
【図１７】
2004325714.tif 000019
【図１８】
2004325714.tif 000020
【図１９】
2004325714.tif 000021
【図２０】
2004325714.tif 000022